(57)【要約】      （修正有）【課題】サイズ、幅、厚さおよび長さの異なる繊維類、皮革類、紙類および繊維製小物類の素材を、いつでも取り外し可能な状態で陳列すること、ならびにこれら素材の集約および仕分けを行うことの可能な、繊維類素材の吊り下げ装置を提供する。【解決手段】素材を吊り下げるための平らな支持材の形状を有し、支持材の長さの一部に設けられた、これらの素材を差し込み可能なスリット４、５を含む装置であって、その一部または全部が柔軟になるような平らで水平、かつ長い形状を有し、少なくとも２本の比較的長いスリット４、５と、レールまたはその他フォルダ吊り下げシステム内に素材を吊り下げられる両端の切欠き８を有する。【選択図】図６
0003225558.tif 000002
【実用新案登録請求の範囲】
【請求項１】
繊維類の素材を吊り下げるための平らな支持材の形状を有し、
長さ方向に少なくとも２本のスリットを備えた定規のような、前記素材が通る隙間の分だけ離れ両端でつながった互いに平行な刃の重なりのような外観を呈し、
一体型構造で、本体は薄く、平らで長さ方向に柔軟性を有することを特徴とする装置。
【請求項２】
柔軟な３つの刃を画定するスリットを少なくとも２本含み、３つの前記刃のそれぞれ上と下に前記素材を交互に通す時に、相反する方向に曲がる刃が互いに釣り合って三次元構造物を形成する、請求項１に記載の装置。
【請求項３】
平らな支持材の形状であり、装置の中に関連する素材見本に対応するラベルまたは紙媒体情報を挿入可能とするための、レール、または好適には紙の文書の標準的な整理サイズのその他フォルダ吊り下げシステム内に前記素材を吊り下げられる端部の切欠きをさらに含むことを特徴とする、請求項１又は２に記載の装置。
【請求項４】
前記支持材の一端に少なくとも１つの掛止システムをさらに含むことを特徴とする、請求項１から３のいずれか一項に記載の装置。
【請求項５】
前記支持材の両端に配される掛止システムを好適には含むことを特徴とする請求項４に記載の装置。
【請求項６】
例えばチェーン、紐、ロープ、棒、フックなどで互いに連結される２つの掛止システムを含むこと、または前記支持材の一端にチェーン、紐、ロープ、棒、フックのいずれか１つを含むことを特徴とする、請求項５に記載の装置。
【請求項７】
金属製、または紙、樹脂、プラスチック、木もしくはその他の複合素材、リサイクル素材、ハイブリッド素材もしくは次世代素材など、その他の変形可能な天然材料製または人工材料製であることを特徴とする、請求項１から６のいずれか一項に記載の装置。
【請求項８】
請求項１から７のいずれか一項に記載の装置および少なくとも１つの吊り下げ素材を含むアセンブリ。
【請求項９】
請求項１から８のいずれか一項に記載の平らな支持材、および前記支持材を受けることの可能な構造を含むアセンブリ。
【請求項１０】
請求項８および９を満たすアセンブリ。
【考案の詳細な説明】
【技術分野】
【０００１】
繊維類コレクションに関する職業および活動においては、展示、整理、インデックス作成、取扱いなど、スペースおよびスペースの有効活用に関する大きなニーズがある。本考案の装置はとりわけコレクター、ファッションデザイナー、生地・繊維製小物・インテリア装飾・手芸用品の製造・販売企業、服飾メーカー、トレンド分析事務所などをターゲットとする。またこの装置は美術館・博物館や資料保存といった公的遺産管理におけるニーズにも対応するほか、長尺ではない素材を保有または保管するあらゆる者にとって有用である。
【背景技術】
【０００２】
本考案の対象となる素材はあらゆるサイズの繊維類、皮革類および紙類である。実際、繊維コレクションはラベル、インデックス作成、履歴、注文、サプライヤーの指示などを包含するものであり、これらを関連見本と対応させて、さらには見本上に整理しておくことが望ましい。こうしたコレクションには材料、テクスチャー、サイズおよび形状が極めて多岐にわたるという特徴がある。
【０００３】
また頻繁かつ迅速な取扱い、効果的な資料保存、および見本の質を損ねない整理のための適切な支持材が存在しない、というのが対象となる職業における認識である。ハンガータイプの装置は、これらを改造・改善しても上記全てのニーズの組み合わせには対応できない。さらにこれとは別に、複数の構成要素からなる道具または装置を利用すると、余計な取扱いや複雑な操作を招き、概して時間的制約が極めて厳しいこれらの職業のニーズを満たすことはできない。
【０００４】
本考案はこうした欠点を補うことを目指して、サイズ、幅、厚さおよび長さの異なる繊維類、皮革類、紙類および繊維製小物類の素材を、いつでも取外し可能な状態で陳列すること、吊り下げて整理すること、折りを広げず容易に輸送することが可能で、またこれによりスペースを有効活用すること、ならびにこれら素材の集約および仕分けを行うことの可能な、これら素材の吊り下げ装置を提案する。
【０００５】
素材の取扱いおよび整理のための既存のシステムにおいては、例えばホッチキス、接着剤、縫製などにより吊り下げ装置を素材に固定する必要がある。以降、これを「既存システム」と称する。繊維類素材、すなわち見本などの素材部分、またはスカーフなど繊維製小物については、以降「素材」と称する。衣服など組み合わされたものは対象外とする。
【考案の概要】
【０００６】
これら既存システムには複数の大きな不都合がある。業界関係者はできる限りの省スペース性を求めているが、これらのシステムは場所を取る。また吊り下げられた素材を迅速かつ容易な操作で引き出す、または戻すことができない。取扱いの際に見本を傷つけてしまうこともある。これらコレクションが極めて多岐にわたることについては上述のとおりであるが、こうした素材のサイズの違いに容易に対応できない。素材上部がシステムに隠れてしまう。再利用できない。標準的なフォルダを用いて整理するためには、生地をカットして台紙またはポケットの中に固定する必要があるが、ポケットの中で見本がたわんでしまう。
【０００７】
いずれの場合においても、既存システムは、これらを紙の文書と共に保存したい場合に、別の装置を要する。見本上に用紙をホッチキス止めする解決法がよく使用されるが、これにより見本は再利用できなくなる。既存システムでは一般的に使用および再利用が難しい。
【０００８】
よって解決すべき技術課題は、素材を傷つけたりその特性を損ねたりすることなく、垂直方向に配置された素材を陳列、保管し、容易に取扱うとともに、資料として保存することである。
【０００９】
よって本考案の目的は、これら業界関係者が素材の展示、整理、インデックス作成、取扱いおよび整頓において直面する各課題の組み合わせを網羅的に解決する装置である。特に装置自体の取扱いに限らず、連続する折り曲げや支持材のスリットへの素材の配置に関しても短時間で容易に実施できなければならない。また本考案において開示される支持材は、複数箇所で折り曲げても素材の完全性を保証するものでなければならない。さらに本考案は、他の装置を追加しなくても、資料保存上のニーズおよび効果的な資料保存に欠かせない紙の上でのインデックス作成上のニーズにも応えるものでなければならない。
【００１０】
このように本考案の装置は、特定されている全ての不都合を解決することができる。その目的は、特定の場所もしくはオフィスにおける利用および保存を容易化するため、または柔軟性を確保しつつ省スペースで外部陳列を行うために、広く使用されている書類サイズに適合するハンガー形状を得ることである。
【００１１】
この装置は、様々なサイズの繊維類、皮革類および紙類の素材を吊り下げるための平らな支持材の形状を有し、支持材の長さの一部に設けられた、前記素材を差し込み可能な少なくとも２本のスリット（４）および（５）を含む。本考案は、その一部または全部が柔軟になるような平らで水平、かつ長い形状を特徴とし、少なくとも２本の比較的長いスリットと両端の切欠きを有する。
【００１２】
本考案の主たる特徴は支持材に付与される構造的な長所である。以下、金属製支持材の好適な実施形態について説明する。
【００１３】
この装置は一体型構造で、本体は薄く、平らで長さ方向に柔軟性を有する。図面上では長さ方向に少なくとも２本のスリットを備えた定規のような外観を呈する。よって実際には、素材が通る隙間の分だけ離れ両端でつながった互いに平行な刃の重なりのような外観を呈する。
【００１４】
生地は、このスリットの中に通されると、３つの刃の上と下を交互に通りながら支持材の刃を変形させる。真ん中の刃は片側に離れて曲がり、上下の刃は互いに離れてこれとは反対方向に曲がる。
【００１５】
変形されたアセンブリはもう平らではない。相反する方向に曲げられた刃は互いに釣り合い、完全に剛性の三次元構造を形成する。これにより吊り下げられた見本の取扱いが大幅に容易化される。
【００１６】
この装置により、道具を一切使用することなく素材を容易に挿入し、把持することができる。素材はいつでも取り外し可能である。厚さに応じて折り曲げるか否かを問わず、様々な厚さの素材をここに配することができる。この装置はとりわけ素材の幅の変化に対応できる。
【００１７】
両端の切欠きにより、レールに素材を吊り下げることができる。両端に穴を空ければ、例えばチェーンや紐、ロープ、リング、棒、フックまたは別の構造物への他の掛止システムなどの要素を配することができる。
【００１８】
この装置は様々な幅で実現可能であるが、汎用性を高めるためには標準的な用紙サイズに適合する幅とし、これにより吊り下げフォルダ収納家具または既存の資料保存ケース内への素材や文書の整理が可能となる。このように、ここには素材と紙の文書をまとめて整理することができる。
【００１９】
素材の吊り下げ、整理、折り曲げ、または取外しという配置の変更を素早く実施することができる。素材がしっかり把持されるため、正しい方向に沿って見本片を容易にカットすることができる。
【００２０】
このようにこの装置は再利用可能で、素材上にいかなる使用の痕跡も残さず、簡単に使用でき、他の道具は一切不要である。
【図面の簡単な説明】
【００２１】
添付の各図面により本考案を説明する。
【００２２】
【図１】本考案の装置を示す正面図である。
【図２】本考案の装置の他の例を示す正面図である。
【図３】本考案の装置の他の例を示す正面図である。
【図４】本考案の装置の他の例を示す正面図である。
【図５】本考案の装置の他の例を示す正面図である。
【図６】本考案の装置の各部を示す正面図である。
【図７】図６の装置の拡大図である。
【図８】本装置に素材を挿入する状態を示す図である。
【図９】素材を挿入する別の状態を示す図である。
【図１０】本装置にチェーンを取り付けた図である。
【図１１】本装置に棒を取り付けた図である。
【図１２】本装置にフックを取り付けた図である。
【図１３】異なった幅の素材でも挿入ができる装置を示す図である。
【図１４】ケースに収容された状態を示す図である。
【図１５】本装置のスリットを変形した状態を示す図である。
【考案を実施するための形態】
【００２３】
図１は、標準的な掛止システムを備える、本考案の装置の変形実施形態を示す図である。
【００２４】
図１〜５は、様々なオリジナル掛止システムを備える、本考案の装置の各変形実施形態を示す図である。
【００２５】
図３は、切欠き（８）の役割を同じように果たすサイズの異なる穴を両端に備えた、全ての長所を有する本考案の装置の変形実施形態を示す図である。
【００２６】
本装置は左右対称または非対称の穴を各端部（６）および（７）にそれぞれ１つ有するか、または穴を１つのみ有し、穴の形状またはサイズは変更可能である。穴の位置は吊り下げ式書類収納家具における使用の妨げにならないよう設けられる。これらの穴は陳列のための幅広い可能性を提供する。ここにタグを吊り下げたり、ひとつにまとめるためにリングでつなげたりすることもできる。
【００２７】
図７は、図６の拡大詳細図である。
【００２８】
図８は、素材の挿入方法を示す図である。スリットに通るよう必要に応じ素材を予め折り曲げておく必要がある。素材は上からスリット（４）に挿入され、スリット（５）から出る。素材の後部はスリット（５）を通る。
【００２９】
図９は、１回挟むだけで固定されるほど十分な厚みのある素材の挿入方法を示す図である。
【００３０】
図１０、１１および１２は、あらゆる素材製の諸要素、例えばチェーン（９）、紐、ロープ、棒（１０）、フック（１１）などを備えた装置を示す図である。
【００３１】
図１３は、幅の異なる素材や複数の素材を挿入した場合に、この装置がどのように機能するかを示す図である。
【００３２】
図１４は、吊り下げフォルダタイプのケース内に整理された状態を示す図である。
【００３３】
図１５は、本考案の主たる特徴である、剛性三次元構造が得られるスリットの変形効果を示す図である。
【００３４】
この実施形態およびその変形実施形態は例であり、本考案は様々な別の形態をとり得る。ここでは金属製の実施形態を提案しているが、紙、樹脂、プラスチック、木またはその他の複合素材、リサイクル素材、ハイブリッド素材もしくは次世代素材など、その他の天然材料または人工材料で実現することも可能である。３つの刃のそれぞれ上と下に素材を交互に通す時に、相反する方向に曲がる刃が互いに釣り合って完璧に剛性の三次元構造物を形成するように、支持材の刃が常に変形する材料を選択しなければならない。
【００３５】
実施形態の大半は一体型として提案しているが、この装置は中間部（２）または下部（３）の柔軟な特徴が維持されれば、同一または異なる材料製の複数の部分から構成することも可能である。図中、符号（１）は上部を示す。
【００３６】
この考案は素材を吊り下げるのに適合した形状を有し、柔軟性を確保しつつ、折り曲げた状態の素材を把持する少なくとも１本のスリットを備えた平らな支持材のデザインをカバーする。
【００３７】
本考案の装置は、とりわけ前記素材の整理および陳列のためのもので、コレクター、ファッションデザイナーなどの関係者、または生地・繊維製小物・インテリア装飾・手芸用品の製造・販売企業、服飾メーカー、トレンド分析事務所、または美術館・博物館や資料保管者といった公的遺産、または長尺でない素材を保有もしくは保管するあらゆる者をターゲットとする。
【００３８】
以下の符号の説明に図６および７の凡例を示す。
【符号の説明】
【００３９】
（１）上部
（２）中間部
（３）下部
（４）上スリット
（５）下スリット
（６）および（７）穴
（８）切欠き
（９）チェーン
（１０）棒
（１１）フック
【図１】
0003225558.tif 000003
【図２】
0003225558.tif 000004
【図３】
0003225558.tif 000005
【図４】
0003225558.tif 000006
【図５】
0003225558.tif 000007
【図６】
0003225558.tif 000008
【図７】
0003225558.tif 000009
【図８】
0003225558.tif 000010
【図９】
0003225558.tif 000011
【図１０】
0003225558.tif 000012
【図１１】
0003225558.tif 000013
【図１２】
0003225558.tif 000014
【図１３】
0003225558.tif 000015
【図１４】
0003225558.tif 000016
【図１５】
0003225558.tif 000017
【手続補正書】
【提出日】令和2年1月14日(2020.1.14)
【手続補正１】
【補正対象書類名】実用新案登録請求の範囲
【補正対象項目名】全文
【補正方法】変更
【補正の内容】
【実用新案登録請求の範囲】
【請求項１】
繊維類の素材を吊り下げるための、複数の刃の重なりを伴う平らな支持材を備え、
前記複数の刃は、長さ方向に少なくとも２本のスリットを設けることで前記素材が通る隙間の分だけ離れ、両端でつながり、定規のように互いに平行であり、
一体型構造で、本体は薄く、平らで前記長さ方向に柔軟性を有することを特徴とする装置。
【請求項２】
前記複数の刃は３つの刃であり、
３つの前記刃のそれぞれ上と下に前記素材を交互に通す時に、相反する方向に曲がる刃が互いに釣り合って三次元構造物を形成する、請求項１に記載の装置。
【請求項３】
平らな支持材の形状であり、
さらに、端部の切欠きを含み、
前記切欠きは、好適には紙の文書の標準的な整理サイズの、レールまたはその他フォルダ吊り下げシステム内に前記素材の吊り下げを可能にし、
前記レールまたはその他前記フォルダ吊り下げシステムは、中に関連する素材見本に対応するラベルまたは紙媒体情報を挿入可能とすることを特徴とする、請求項１又は２に記載の装置。
【請求項４】
前記支持材の一端に少なくとも１つの掛止システムをさらに含むことを特徴とする、請求項１から３のいずれか一項に記載の装置。
【請求項５】
前記支持材の両端に配される掛止システムを好適には含むことを特徴とする請求項４に記載の装置。
【請求項６】
例えばチェーン、紐、ロープ、棒、フックなどで互いに連結される２つの掛止システムを含むこと、または前記支持材の一端にチェーン、紐、ロープ、棒、フックのいずれか１つを含むことを特徴とする、請求項５に記載の装置。
【請求項７】
金属製、または紙、樹脂、プラスチック、木もしくはその他の複合素材、リサイクル素材、ハイブリッド素材もしくは次世代素材など、その他の変形可能な天然材料製または人工材料製であることを特徴とする、請求項１から６のいずれか一項に記載の装置。
【請求項８】
請求項１から７のいずれか一項に記載の装置および少なくとも１つの吊り下げ素材を含むアセンブリ。
【請求項９】
請求項１から８のいずれか一項に記載の平らな支持材、および前記支持材を受けることの可能な構造を含むアセンブリ。
【請求項１０】
請求項８および９を満たすアセンブリ。